(57)【要約】【課題】デジタルスチルカメラ等の撮像装置に簡単かつ確実に装着できるレンズアダプタ及びコンバージョンレンズとする。【解決手段】撮像装置のレンズリング１４０の外周面に形成された固定溝１４１にはまり込む形状の突部４１と、突部４１が形成されたストッパ４０と、ストッパ４０を揺動自在に支持する支持軸２３と、突部４１が固定溝１４１に出入りするようにストッパ４０を揺動させるための揺動ガイド３３ａ，３３ｂと、突部４１が固定溝１４１に入り込んだ固定状態又は突部４１が固定溝１４１から抜け出た解除状態になるように揺動ガイド３３ａ，３３ｂを操作する外枠３０とを有する。【選択図】図１０
2010186085.tif 000002
【特許請求の範囲】
【請求項１】
撮像装置のレンズリングの外周面に形成された溝にはまり込む形状の突部と、
前記突部が形成された固定片と、
前記固定片を揺動自在に支持する支持軸と、
前記突部が前記溝に出入りするように前記固定片を揺動させるための揺動ガイドと、
前記突部が前記溝に入り込んだ固定状態又は前記突部が前記溝から抜け出た解除状態になるように前記揺動ガイドを操作する操作部と、
前記撮像装置の撮像レンズの光軸に一致するように光学部品を装着可能な装着部と
を有するレンズアダプタ。
【請求項２】
請求項１に記載のレンズアダプタにおいて、
前記操作部は、前記撮像レンズの光軸方向に移動可能であり、
前記揺動ガイドは、前記操作部を前記撮像装置に向けて移動させたときに、前記突部が前記固定状態になるように形成されている
レンズアダプタ。
【請求項３】
請求項１に記載のレンズアダプタにおいて、
前記操作部は、前記撮像レンズの光軸方向に移動可能で、かつ前記操作部を前記撮像装置に向けて移動させた状態で前記撮像レンズの円周方向に回転可能であり、
前記揺動ガイドは、前記操作部を前記撮像装置に向けて移動させたときに、前記突部が前記固定状態になるように形成されている
レンズアダプタ。
【請求項４】
請求項１に記載のレンズアダプタにおいて、
前記突部の前記固定状態を維持するように前記操作部を保持する保持部を有する
レンズアダプタ。
【請求項５】
請求項１に記載のレンズアダプタにおいて、
前記突部は、弾性を有する材料によって形成されている
レンズアダプタ。
【請求項６】
撮像装置のレンズリングの外周面に形成された溝にはまり込む形状の突部と、
前記突部が形成された固定片と、
前記固定片を揺動自在に支持する支持軸と、
前記突部が前記溝に出入りするように前記固定片を揺動させるための揺動ガイドと、
前記突部が前記溝に入り込んだ固定状態又は前記突部が前記溝から抜け出た解除状態になるように前記揺動ガイドを操作する操作部と、
前記撮像装置の撮像レンズの焦点距離を変更するための補助レンズと
を有するコンバージョンレンズ。
【発明の詳細な説明】
【技術分野】
【０００１】
本発明は、デジタルスチルカメラ等の撮像装置に取り付けて使用するレンズアダプタ及びコンバージョンレンズ関する。
【背景技術】
【０００２】
デジタルスチルカメラやデジタルビデオカメラ等の撮像装置は、従来から、撮像レンズによって被写体像を結像させ、撮像レンズの後部に配置されたＣＣＤ（Charge Coupled Device Image Sensor）イメージセンサやＣＭＯＳ（Complementary Metal Oxide Semiconductor ）イメージセンサ等の撮像素子によって被写体像を撮影するようになっている。そして、例えばデジタルスチルカメラでは、被写体像を異なる倍率で撮影できるようにするとともに薄型化を図るため、沈胴式のズームレンズが採用されることがある。
【０００３】
しかし、沈胴式のズームレンズでは、倍率が狭い範囲に限定されてしまう。そのため、より広い倍率での撮影ができるように、内部空間にズームレンズを突出させることができる円筒形状のレンズアダプタを介してテレ又はワイドのコンバージョンレンズを装着できるようにした技術が知られている。
具体的には、ズームレンズユニットを格納する円筒形状のレンズリングをケースの前面から突出させ、このレンズリングの内周面にねじ溝を形成する。また、一端側にコンバージョンレンズを取り付けることができるレンズアダプタの他端側の外周面にねじ山を形成する。そして、レンズリングにレンズアダプタをねじ込むことにより、レンズアダプタを介してコンバージョンレンズを装着できるようにする技術である。
【先行技術文献】
【特許文献】
【０００４】
【特許文献１】特開２０００−２３５２２２号公報
【発明の概要】
【発明が解決しようとする課題】
【０００５】
しかし、上記の特許文献１の技術では、レンズアダプタのねじ込みに時間がかかり、装着が面倒であるという問題がある。また、ねじ山がつぶれやすく、耐久性に問題がある。さらにまた、ねじ込みが不十分だった場合には、レンズアダプタが脱落することがあり、信頼性にも問題がある。
なお、単焦点レンズの場合には、レンズアダプタを介することなく直接コンバージョンレンズをレンズリングにねじ込んで装着することができるが、この場合であっても、コンバージョンレンズのねじ込みに時間がかかる等の問題がある。
【０００６】
したがって、本発明が解決しようとする課題は、デジタルスチルカメラ等の撮像装置に簡単かつ確実に装着できるレンズアダプタ及びコンバージョンレンズとすることである。
【課題を解決するための手段】
【０００７】
本発明は、以下の解決手段により、上述の課題を解決する。
本発明の請求項１に記載の発明は、撮像装置のレンズリングの外周面に形成された溝にはまり込む形状の突部と、前記突部が形成された固定片と、前記固定片を揺動自在に支持する支持軸と、前記突部が前記溝に出入りするように前記固定片を揺動させるための揺動ガイドと、前記突部が前記溝に入り込んだ固定状態又は前記突部が前記溝から抜け出た解除状態になるように前記揺動ガイドを操作する操作部と、前記撮像装置の撮像レンズの光軸に一致するように光学部品を装着可能な装着部とを有するレンズアダプタである。
【０００８】
また、本発明の請求項６に記載の発明は、撮像装置のレンズリングの外周面に形成された溝にはまり込む形状の突部と、前記突部が形成された固定片と、前記固定片を揺動自在に支持する支持軸と、前記突部が前記溝に出入りするように前記固定片を揺動させるための揺動ガイドと、前記突部が前記溝に入り込んだ固定状態又は前記突部が前記溝から抜け出た解除状態になるように前記揺動ガイドを操作する操作部と、前記撮像装置の撮像レンズの焦点距離を変更するための補助レンズとを有するコンバージョンレンズである。
【０００９】
（作用）
上記の請求項１及び請求項６に記載の発明は、撮像装置のレンズリングの外周面に形成された溝にはまり込む形状の突部を有している。また、突部が溝に入り込んだ固定状態又は突部が溝から抜け出た解除状態になるようにする操作部を有している。そのため、レンズアダプタやコンバージョンレンズを撮像装置に取り付けるには、操作部により、突部が溝に入り込んだ固定状態にすればよい。
一方、撮像装置から取り外すには、突部が溝から抜け出た解除状態にすればよい。
【発明の効果】
【００１０】
本発明によれば、操作部によって突部を溝に出入りさせるだけで取付け及び取外しが可能となるので、レンズアダプタやコンバージョンレンズを簡単に撮像装置に装着できる。また、突部が溝に入り込んでいれば固定状態となるので、レンズアダプタやコンバージョンレンズの装着が確実になる。
【図面の簡単な説明】
【００１１】
【図１】本発明のレンズアダプタを装着可能なデジタルスチルカメラの前面側を示す斜視図である。
【図２】本発明のレンズアダプタを装着可能なデジタルスチルカメラの背面側を示す斜視図である。
【図３】本発明のレンズアダプタを装着可能なデジタルスチルカメラの構成を示すブロック図である。
【図４】本発明のレンズアダプタの一実施形態（第１の実施の形態）としての、レンズアダプタを取り付ける際の状況を示す斜視図である。
【図５】本発明のレンズアダプタの一実施形態（第１の実施の形態）としての、レンズアダプタを示す斜視図である。
【図６】本発明のレンズアダプタの一実施形態（第１の実施の形態）としての、レンズアダプタの内枠を示す斜視図である。
【図７】本発明のレンズアダプタの一実施形態（第１の実施の形態）としての、レンズアダプタの解除状態を示す斜視図である。
【図８】本発明のレンズアダプタの一実施形態（第１の実施の形態）としての、レンズアダプタの解除状態を示す断面図である。
【図９】本発明のレンズアダプタの一実施形態（第１の実施の形態）としての、レンズアダプタの固定状態を示す斜視図である。
【図１０】本発明のレンズアダプタの一実施形態（第１の実施の形態）としての、レンズアダプタの固定状態を示す断面図である。
【図１１】本発明のレンズアダプタの一実施形態（第２の実施の形態）としての、レンズアダプタの解除状態を示す断面図である。
【図１２】本発明のレンズアダプタの一実施形態（第３の実施の形態）としての、レンズアダプタの解除状態を示す斜視図である。
【図１３】本発明のレンズアダプタの一実施形態（第３の実施の形態）としての、レンズアダプタの固定状態を示す斜視図である。
【図１４】本発明のレンズアダプタの一実施形態（第４の実施の形態）としての、レンズアダプタの解除状態を示す断面図である。
【図１５】本発明のレンズアダプタの一実施形態（第４の実施の形態）としての、レンズアダプタの固定状態を示す断面図である。
【図１６】本発明のコンバージョンレンズの一実施形態（第５の実施の形態）としての、テレコンバージョンレンズの固定状態を示す断面図である。
【発明を実施するための形態】
【００１２】
以下、図面を参照して、本発明を実施するための形態について説明する。
ここで、本発明における撮像装置は、以下の実施の形態では、デジタルスチルカメラ１００であるとする。また、本発明におけるレンズアダプタは、デジタルスチルカメラ１００に装着して使用するレンズアダプタ１０，５０〜７０であるとする。さらにまた、本発明におけるコンバージョンレンズは、デジタルスチルカメラに装着して使用するテレコンバージョンレンズ８０であるとする。
なお、説明は、以下の順序で行う
１．第１の実施の形態（操作部：光軸方向及び円周方向への移動によって固定する例）
２．第２の実施の形態（固定片：突部に弾性材料を使用する例）
３．第３の実施の形態（操作部：光軸方向への移動だけで固定する例）
４．第４の実施の形態（操作部：円周方向への移動だけで固定する例）
５．第５の実施の形態（テレコンバージョンレンズを直接固定する例）
【００１３】
［撮像装置の構成例］
図１は、本発明のレンズアダプタ１０，５０〜７０を装着可能なデジタルスチルカメラ１００の前面側を示す斜視図である。
また、図２は、本発明のレンズアダプタ１０，５０〜７０を装着可能なデジタルスチルカメラ１００の背面側を示す斜視図である。
図１及び図２に示すように、デジタルスチルカメラ１００は、外装を構成する直方体状のケース１１０を有している。そして、ケース１１０の前面に、ズームレンズユニット１３０と、ズームレンズユニット１３０の周囲から突出し、外周面に固定溝１４１（本発明における溝に相当）が形成されたレンズリング１４０とを備えている。
【００１４】
また、ズームレンズユニット１３０の上方には、左から順に、撮影補助光を出射するフラッシュ１１１、ＡＦ（Auto Focus）補助光発光部１１２、及びファインダー窓１１３が設けられている。そして、ケース１１０の上面には、電源のオン・オフを行う電源ボタン１１４と、撮影を行うためのシャッターボタン１１５とが配置されている。
なお、上下左右とは、図１で見たデジタルスチルカメラ１００の上下左右を言う。
【００１５】
さらにまた、図２に示すように、ケース１１０の後面には、ディスプレイ１１６、ズームレバー１１７、メニューボタン１１８、十字キー１１９、決定ボタン１２０、及び露出補正ボタン１２１が設けられている。
このディスプレイ１１６は、液晶表示器等であり、設定メニューの他、撮影する画像を表示したり、撮影された画像を再生等する。ズームレバー１１７は、操作者がズーミング（変倍操作）を行うときに操作する。メニューボタン１１８は、ディスプレイ１１６に各種の設定メニュー（静止画撮影モード、動画撮影モード、再生モード等）を表示させるときに操作し、表示された設定メニューは、十字キー１１９で選択して決定ボタン１２０で決定する。露出補正ボタン１２１は、絞りを開閉して逆光補正等の露出補正をワンタッチで行うときに操作する。
【００１６】
このようなデジタルスチルカメラ１００において、ズームレンズユニット１３０（図１参照）は、沈胴式となっている。そのため、電源を切るとケース１１０の内部に収納されるようになり、不使用時における携帯性の向上やズームレンズユニット１３０の破損等の防止が図られる。
一方、電源を入れるとケース１１０の前面から突出し、撮影が可能となる。そして、前玉レンズ１３１（撮像レンズの１つ）等によって結像された被写体像は、ズームレンズユニット１３０の後部に配置された撮像素子１２２によって撮影される。
なお、撮像素子１２２としては、例えば、ＣＣＤ（Charge Coupled Device ）イメージセンサ、ＣＭＯＳ（Complementary Metal Oxide Semiconductor ）イメージセンサ等を使用できる。
【００１７】
また、ズームレンズユニット１３０は、レンズリング１４０の内側に配置された固定鏡筒１３２と、固定鏡筒１３２の内側に配置された外側可動鏡筒１３３と、外側可動鏡筒１３３の内側に配置された内側可動鏡筒１３４とを備えている。そして、電源オン時は、固定鏡筒１３２から外側可動鏡筒１３３が突出し、外側可動鏡筒１３３から内側可動鏡筒１３４が突出する。
【００１８】
ここで、固定鏡筒１３２は、ケース１１０の内部に配置されており、前面がレンズリング１４０と略同じ高さで突出する。そして、固定鏡筒１３２の内部には、フォーカスレンズ１３５（図示せず）及び絞り１３６（図示せず）が設けられている。また、外側可動鏡筒１３３は、固定鏡筒１３２の内径と略同一の外径で形成されるとともに、固定鏡筒１３２から前方に進退可能に支持されており、その内部には、ズームレンズ１３７（図示せず）が設けられている。さらにまた、内側可動鏡筒１３４は、外側可動鏡筒１３３の内径と略同一の外径で形成されるとともに、外側可動鏡筒１３３から前方に進退可能に支持されており、その内部には、ズームレンズ１３８（図示せず）が設けられている。
なお、フォーカスレンズ１３５、ズームレンズ１３７、及びズームレンズ１３８は、前玉レンズ１３１とともに、デジタルスチルカメラ１００の撮像レンズを構成する。
【００１９】
さらに、内側可動鏡筒１３４の先端部には、開閉自在のレンズカバー１３９が設けられている。そして、デジタルスチルカメラ１００の電源が投入され、ズームレンズユニット１３０（外側可動鏡筒１３３及び内側可動鏡筒１３４）が突出すると、レンズカバー１３９が開いて前玉レンズ１３１が露出し、撮影が可能となる。
一方、電源が切られ、外側可動鏡筒１３３及び内側可動鏡筒１３４が固定鏡筒１３２内に収納されると、レンズカバー１３９が閉じて前玉レンズ１３１を保護する。
【００２０】
図３は、本発明のレンズアダプタ１０，５０〜７０を装着可能なデジタルスチルカメラ１００の構成を示すブロック図である。
図３に示すように、デジタルスチルカメラ１００には、ズームレンズユニット１３０が設けられ、前玉レンズ１３１、ズームレンズ１３８、ズームレンズ１３７、及びフォーカスレンズ１３５が光軸に沿って配列されている。
【００２１】
また、ズームレンズ１３７とフォーカスレンズ１３５との間には、絞り１３６が配置されている。この絞り１３６は、絞り駆動装置１２３によって駆動され、開口量を増減させることができる。例えば、明るい被写体を撮影する場合には、フォーカスレンズ１３５の後部に配置された撮像素子１２２への入射光量を少なくするため、絞り１３６の開口量を小さくして光量を減少させる。逆に、暗い被写体を撮影する場合には、撮像素子１２２への入射光量を多くするため、絞り１３６の開口量を大きくして光量を増加させる。
【００２２】
さらにまた、フォーカスレンズ１３５は、光軸方向に移動可能となっており、フォーカスレンズ駆動装置１２４によって駆動される。このフォーカスレンズ駆動装置１２４は、例えば、ステッピングモータやリニアモータ等であり、フォーカスレンズ１３５を光軸方向にスライドさせてフォーカシング（焦点調節操作）を行う。
さらに、ズームレンズ１３７を備える外側可動鏡筒１３３（図１参照）及びズームレンズ１３８を備える内側可動鏡筒１３４（図１参照）は、ステッピングモータやリニアモータ等によって光軸方向に移動可能となっており、ズームレンズ駆動装置１２５によって駆動される。
【００２３】
また、このデジタルスチルカメラ１００には、Ａ／Ｄ（Analog／Digital ）変換部１２６、カメラＤＳＰ（Digital Signal Processor）１２７、メモリ１２８、ディスプレイ１１６、ズームレバー１１７、及びＣＰＵ（Central Processing Unit ）１２９が設けられている。
この中で、Ａ／Ｄ変換部１２６は、撮像素子１２２から出力されたアナログ信号をデジタル信号に変換する。具体的には、ズームレンズユニット１３０によって結像された被写体像が撮像素子１２２によって光電変換され、その出力であるアナログ信号がＡ／Ｄ変換部１２６によってデジタル信号に変換される。
【００２４】
変換されたデジタル信号は、カメラＤＳＰ１２７により、ガンマ補正、色分離、色差マトリクス等の処理が施される。そして、メモリ１２８に保存され、ディスプレイ１１６に被写体像として表示される。さらに、Ａ／Ｄ変換部１２６によって変換されたデジタル信号の輝度データがＣＰＵ１２９に送信される。
【００２５】
ＣＰＵ１２９は、送信された輝度データに基づいて露出制御用の計算を行う。そして、その結果が適正でなかった場合には、露出が適正になるように絞り駆動装置１２３を制御し、絞り１３６を調節する。また、ＣＰＵ１２９は、フォーカスレンズ駆動装置１２４を制御し、フォーカスレンズ１３５をスライドさせてフォーカシング（焦点調節操作）を行う。さらにまた、ＣＰＵ１２９は、ズームレバー１１７の操作に応じてズームレンズ駆動装置１２５を制御し、ズームレンズ１３７及びズームレンズ１３８をスライドさせてズーミング（変倍操作）を行う。
【００２６】
このように、デジタルスチルカメラ１００は、ＣＰＵ１２９により、オート露出制御及びオートフォーカス制御を行う。また、ズームレバー１１７の操作により、ズームレンズユニット１３０のズーミングが行われ、異なる倍率での撮影が可能となる。さらにまた、より広い倍率での撮影を行う場合には、レンズリング１４０（図１参照）にレンズアダプタ１０，５０〜７０（図示せず：光学補助部品に相当）を装着する。そして、レンズアダプタ１０，５０〜７０にテレ又はワイドのコンバージョンレンズを取り付ける。
なお、単焦点レンズのデジタルスチルカメラの場合には、テレコンバージョンレンズ８０（図示せず：光学部品に相当）を直接装着する。
【００２７】
＜１．第１の実施の形態＞
［レンズアダプタの構成例］
図４は、本発明のレンズアダプタの一実施形態（第１の実施の形態）としての、レンズアダプタ１０を取り付ける際の状況を示す斜視図である。
図４に示すように、デジタルスチルカメラ１００は、沈胴式のズームレンズユニット１３０を備えている。ここで、より高倍率での撮影を可能とするテレコンバージョンレンズ１５０を使用するに際し、重いテレコンバージョンレンズ１５０をズームレンズユニット１３０に直接取り付けると、ズームレンズユニット１３０の駆動系に負担をかけ、故障等の原因となる。
【００２８】
そこで、デジタルスチルカメラ１００のレンズリング１４０に円筒形状のレンズアダプタ１０を取り付け、レンズアダプタ１０にテレコンバージョンレンズ１５０を装着する。このレンズアダプタ１０は、内枠２０及び外枠３０によって構成されている。そして、内枠２０の外挿部２１をレンズリング１４０に外挿した後、固定溝１４１に固定するようになっている。また、テレコンバージョンレンズ１５０は、内枠２０の装着部２２にねじ込んで装着する。
なお、実際の使用時は、テレコンバージョンレンズ１５０やワイドコンバージョンレンズを予めレンズアダプタ１０の装着部２２にねじ込んでおき、そのレンズアダプタ１０をレンズリング１４０にワンタッチで取り付ける。
【００２９】
このように、テレコンバージョンレンズ１５０は、円筒形状のレンズアダプタ１０を介してデジタルスチルカメラ１００に装着する。そのため、レンズアダプタ１０の内部空間がズームレンズユニット１３０の突出領域となる。したがって、テレコンバージョンレンズ１５０の重量をズームレンズユニット１３０に負担させず、ズームレンズユニット１３０のズーミングにも支障なく、テレコンバージョンレンズ１５０による高倍率での撮影が可能となる。
【００３０】
図５は、本発明のレンズアダプタの一実施形態（第１の実施の形態）としての、レンズアダプタ１０を示す斜視図である。
また、図６は、本発明のレンズアダプタの一実施形態（第１の実施の形態）としての、レンズアダプタ１０の内枠２０を示す斜視図である。
図５に示すように、第１の実施の形態のレンズアダプタ１０は、内枠２０、外枠３０（本発明における操作部に相当）、及びストッパ４０（本発明における固定片に相当）を有している。
【００３１】
ここで、内枠２０は、レンズリング１４０（図４参照）の外周面に外挿可能な外挿部２１と、ズームレンズユニット１３０（図４参照）の光軸に一致するようにテレコンバージョンレンズ１５０（図４参照）を装着可能な装着部２２とを有している。そのため、外挿部２１をレンズリング１４０に外挿し、装着部２２にテレコンバージョンレンズ１５０を装着すれば、ズームレンズユニット１３０だけを使用した場合よりも高い倍率での撮影が可能となる。
なお、装着部２２の内周面にはねじ溝が形成されており、テレコンバージョンレンズ１５０やワイドコンバージョンレンズ等の各種の光学部品をねじ込んで装着できるようになっている。
【００３２】
また、内枠２０は、ストッパ４０を揺動自在に支持する支持軸２３（図５参照）を有している。この支持軸２３は、外挿部２１の円周を３等分する位置に３つ形成されており、それぞれにストッパ４０がはめ込まれている。そのため、３つのストッパ４０は、各支持軸２３を中心としてシーソーのような動きで回動できる。そして、各ストッパ４０には、図６に示すように、突部４１、山部４２、及び谷部４３が形成されており、突部４１がレンズリング１４０（図４参照）の固定溝１４１（図４参照）に出入りするようになっている。
なお、支持軸２３及びストッパ４０は、３つに限らず、４つ以上であってもよい。
【００３３】
さらにまた、内枠２０は、ガイド溝２４を有している。このガイド溝２４は、支持軸２３（図５参照）と同様に３つ形成されており、内枠２０に外挿された外枠３０（図５参照）をガイドする。
具体的には、各ガイド溝２４は、装着部２２側の解除位置２４ａから外挿部２１に向かい、その後、外挿部２１の円周方向に向かって固定位置２４ｂに到達するまでの略Ｌ字形となっている。そして、各ガイド溝２４には、外枠３０の内周面に形成されたガイド突起３１（図示せず）がそれぞれはめ込まれるようになっている。そのため、外枠３０は、各ガイド溝２４にそって、ズームレンズユニット１３０（図４参照）の光軸方向に移動可能で、かつ外枠３０をデジタルスチルカメラ１００（図１参照）に向けて移動させた状態でズームレンズユニット１３０の円周方向に回転可能となる。
【００３４】
さらに、内枠２０は、各ガイド溝２４にそって移動させた外枠３０を固定位置２４ｂで保持するための保持部２５を有している。この保持部２５は、外枠３０のガイド突起３１（図示せず）が固定位置２４ｂに到達したときに、外枠３０に形成された保持突起３２（図示せず）が適度なクリック感を持ってはめ込まれるように設けられている。そのため、外枠３０は、ガイド突起３１が固定位置２４ｂに移動した状態で、保持突起３２が保持部２５によって適度な力で保持される。
【００３５】
一方、外枠３０（図５参照）は、内周面に揺動ガイド３３（図５参照）を有している。この揺動ガイド３３は、ストッパ４０との位置関係に応じて、図６に示す突部４１がレンズリング１４０（図４参照）の固定溝１４１（図４参照）に出入りするようにストッパ４０を揺動させる。
具体的には、外枠３０のガイド突起３１（図示せず）が解除位置２４ａにあるときは、ストッパ４０の山部４２及び谷部４３と揺動ガイド３３との位置関係によってストッパ４０が外向きに開く。そのため、突部４１が固定溝１４１から抜け出た解除状態となる。逆に、ガイド突起３１が固定位置２４ｂ（図６参照）にあるときは、ストッパ４０が内向きに閉じるように揺動し、突部４１が固定溝１４１に入り込んだ固定状態となる。
なお、外枠３０の側面には、外枠３０を移動させて揺動ガイド３３を操作する際の便宜のため、窪みを施した把持部３４が形成されている。また、外枠３０の下面には、三脚の雲台１６０（図示せず）の取付けに配慮してＤカット処理を施した雲台載置部３５が形成されている。
【００３６】
図７は、本発明のレンズアダプタの一実施形態（第１の実施の形態）としての、レンズアダプタ１０の解除状態を示す斜視図である。
また、図８は、本発明のレンズアダプタの一実施形態（第１の実施の形態）としての、レンズアダプタ１０の解除状態を示す断面図である。
図７及び図８に示すように、外枠３０が内枠２０の装着部２２側に位置していれば、ストッパ４０が解除状態となる。
【００３７】
この解除状態では、外枠３０のガイド突起３１が内枠２０のガイド溝２４の解除位置２４ａ（図７参照）にある。これにより、外枠３０の揺動ガイド３３ａは、ストッパ４０の山部４２の上面に当接する位置となり、山部４２を押し下げる。
一方、揺動ガイド３３ｂは、ストッパ４０の谷部４３の上方に位置しており、ストッパ４０との間に隙間がある。そのため、ストッパ４０は、支持軸２３（図８参照）を中心として山部４２が押し下げられるように反時計回りに回動し、山部４２と反対側の突部４１が外に向けて開くようになる。
【００３８】
したがって、外枠３０を内枠２０の装着部２２側に位置させ、ガイド突起３１をガイド溝２４の解除位置２４ａ（図７参照）にすれば、揺動ガイド３３ａがストッパ４０の山部４２を押し下げて突部４１を開かせる。そのため、突部４１は、図８に示すように、外挿部２１に挿入されたレンズリング１４０の固定溝１４１から抜け出た状態となる。その結果、レンズアダプタ１０の外挿部２１に対し、レンズリング１４０を自由に出し入れできる解除状態となる。
【００３９】
図９は、本発明のレンズアダプタの一実施形態（第１の実施の形態）としての、レンズアダプタ１０の固定状態を示す斜視図である。
また、図１０は、本発明のレンズアダプタの一実施形態（第１の実施の形態）としての、レンズアダプタ１０の固定状態を示す断面図である。
図９及び図１０に示すように、外枠３０が内枠２０の外挿部２１側に位置していれば、ストッパ４０が固定状態となる。
【００４０】
この固定状態では、外枠３０のガイド突起３１が内枠２０のガイド溝２４の固定位置２４ｂ（図９参照）にある。これにより、外枠３０の揺動ガイド３３ｂは、ストッパ４０の突部４１の上面に当接する位置となり、突部４１を押し下げる。
一方、揺動ガイド３３ａは、支持軸２３（図１０参照）の上方に位置しており、山部４２から離れているだけでなく、支持軸２３を中心とするストッパ４０の揺動に影響を及ぼさない位置にある。そのため、ストッパ４０は、支持軸２３を中心として突部４１が押し下げられるように時計回りに回動し、突部４１が内に向かって閉じるようになる。
【００４１】
したがって、外枠３０を内枠２０の外挿部２１側に位置させ、ガイド突起３１をガイド溝２４の固定位置２４ｂ（図９参照）にすれば、揺動ガイド３３ｂがストッパ４０の突部４１を押し下げて突部４１を閉じる方向に揺動させる。そのため、突部４１は、図１０に示すように、外挿部２１に挿入されたレンズリング１４０の固定溝１４１に入り込んだ状態となる。その結果、レンズアダプタ１０の外挿部２１に対し、レンズリング１４０が固定された固定状態となる。
【００４２】
また、図９に示すように、外枠３０の保持突起３２が保持部２５によって適度な力で保持される。そのため、外枠３０が自然に動いてしまい、固定状態が不用意に解除されることが防止される。さらにまた、レンズアダプタ１０は、図１０に示すように、内枠２０の内部空間により、ズームレンズユニット１３０のズーミングに対応できる。さらに、外枠３０の雲台載置部３５により、大きな雲台１６０にも対応できる。
【００４３】
このように、第１の実施の形態のレンズアダプタ１０は、ストッパ４０の突部４１がレンズリング１４０の固定溝１４１から抜け出た解除状態（図８参照）から、突部４１が固定溝１４１に入り込んだ固定状態（図１０参照）に、簡単に移行させることができる。
具体的には、図７及び図８に示す解除状態において、図８に示すように、内枠２０の外挿部２１をレンズリング１４０に外挿する。
【００４４】
次に、外挿部２１に向かう光軸方向に外枠３０を移動させるように操作する。これにより、外枠３０のガイド突起３１が解除位置２４ａ（図７参照）から離れ、内枠２０のガイド溝２４にそって真っ直ぐに移動する。
また、外枠３０の揺動ガイド３３ａがストッパ４０の山部４２から離れるとともに、外枠３０の揺動ガイド３３ｂがストッパ４０の突部４１の上面に当接するようになる。その結果、ストッパ４０が支持軸２３を中心として時計回りに回動し、図１０に示すように、ストッパ４０の突部４１がレンズリング１４０の固定溝１４１にはまり込む。
【００４５】
したがって、第１の実施の形態のレンズアダプタ１０は、外枠３０を操作し、内枠２０の外挿部２１に向けて移動させることにより、突部４１が固定溝１４１に入り込んだ固定状態となる。
なお、揺動ガイド３３ａ及び揺動ガイド３３ｂは、外枠３０を外挿部２１に向けて移動させたときに固定状態になるように予め形成されており、突部４１は、固定溝１４１にはまり込む形状に予め形成されている。
【００４６】
ここで、外枠３０は、光軸方向に移動可能であるので、外挿部２１に向けて移動させた後、装着部２２に向かって戻るように動いてしまうことがある。そして、突部４１が固定溝１４１から抜け出た解除状態になってしまうことがある。
そこで、外枠３０を外挿部２１に向けて移動させた後、外枠３０をさらに円周方向に時計回りに回転させる。これにより、図９に示すように、外枠３０のガイド突起３１が固定位置２４ｂまで移動し、外枠３０の保持突起３２が内枠２０の保持部２５に保持されるようになる。したがって、不用意に解除状態に戻ることが防止される。
【００４７】
逆に、第１の実施の形態のレンズアダプタ１０を固定状態（図１０参照）から解除状態（図８参照）にするには、図９に示す固定状態において、外枠３０を円周方向に反時計回りに回転させる。これにより、外枠３０の保持突起３２が内枠２０の保持部２５から外れる。
さらに、外枠３０を装着部２２に向けて移動させ、図７に示すように、ガイド突起３１を解除位置２４ａに位置させる。その結果、外枠３０の揺動ガイド３３ａがストッパ４０の山部４２を押し下げるようになり、図８に示すような突部４１が固定溝１４１から抜け出た解除状態となる。
【００４８】
したがって、第１の実施の形態のレンズアダプタ１０は、バヨネット方式のように、ワンタッチ・ツーアクション（外枠３０の移動及び回転操作）で簡単かつ確実に、レンズリング１４０に固定することができる。しかも、バヨネット方式のような不格好なキー溝を設ける必要がなく、別部材を使ってキー溝を隠す必要もない。
【００４９】
また、支持軸２３に揺動自在に支持されたストッパ４０ではなく、内枠に一体成形された可とう性のツメを使用する場合に比べ、着脱の際にツメが削れたり、レンズリング１４０に負荷が作用することもない。
なお、レンズリング１４０に接触しないように、予め外側に反った形状のツメとすることも考えられる。しかし、高温環境で長期間固定しておくと、熱クリープによって必要な反り形状が変形し、反りが小さくなってしまう。そのため、可とう性のツメでは結局、削れやレンズリング１４０への負荷の問題が発生する。
【００５０】
＜２．第２の実施の形態＞
［レンズアダプタの構成例］
図１１は、本発明のレンズアダプタの一実施形態（第２の実施の形態）としての、レンズアダプタ５０の解除状態を示す断面図である。
図１１に示すように、第２の実施の形態のレンズアダプタ５０は、第１の実施の形態のレンズアダプタ１０（図８参照）と同様に、内枠２０、外枠３０、及びストッパ４０を有している。
【００５１】
ここで、内枠２０は、レンズリング１４０の外周面に外挿可能な外挿部２１と、コンバージョンレンズ等の光学部品を装着可能な装着部２２と、ストッパ４０を揺動自在に支持する支持軸２３とを有している。そして、弾性突部５１、山部４２、及び谷部４３が形成されたストッパ４０は、支持軸２３を中心としてシーソーのような動きで回動でき、弾性突部５１がレンズリング１４０の固定溝１４１に出入りする。
なお、支持軸２３及びストッパ４０は、外挿部２１の円周を３等分する位置に３つ設けられているが、４つ以上であってもよい。
【００５２】
また、内枠２０は、ガイド溝２４を有している。このガイド溝２４は、内枠２０に外挿された外枠３０のガイド突起３１をガイドする。そのため、外枠３０は、ガイド溝２４にそって光軸方向に移動可能となっている。
なお、ガイド溝２４は、第１の実施の形態のレンズアダプタ１０（図７参照）と同様の略Ｌ字形となっている。したがって、外枠３０を外挿部２１に向けて移動させた後、外枠３０をさらに円周方向に時計回りに回転させることができる。
【００５３】
さらにまた、外枠３０は、揺動ガイド３３ａ及び揺動ガイド３３ｂを有している。この揺動ガイド３３ａ及び揺動ガイド３３ｂは、ストッパ４０との位置関係に応じて、弾性突部５１がレンズリング１４０の固定溝１４１に出入りするようにストッパ４０を揺動させる。さらに、外枠３０の下面には、三脚の雲台１６０（図１０参照）の取付けに配慮してＤカット処理を施した雲台載置部３５が形成されている。
【００５４】
このような第２の実施の形態のレンズアダプタ５０は、ストッパ４０の弾性突部５１がレンズリング１４０の固定溝１４１から抜け出た解除状態（図１１参照）から、弾性突部５１が固定溝１４１に入り込んだ固定状態に、簡単に移行させることができる。
具体的には、最初に、図１１に示す解除状態において、内枠２０の外挿部２１をレンズリング１４０に外挿する。
【００５５】
次に、外挿部２１に向かう光軸方向に外枠３０を移動させるように操作する。これにより、外枠３０のガイド突起３１が内枠２０のガイド溝２４にそって真っ直ぐに移動する。
また、外枠３０の揺動ガイド３３ａがストッパ４０の山部４２から離れるとともに、外枠３０の揺動ガイド３３ｂがストッパ４０の弾性突部５１の上面に当接するようになる。その結果、ストッパ４０が支持軸２３を中心として時計回りに回動し、弾性突部５１がレンズリング１４０の固定溝１４１にはまり込む。
【００５６】
したがって、第２の実施の形態のレンズアダプタ５０は、外枠３０を操作し、内枠２０の外挿部２１に向けて移動させることにより、弾性突部５１が固定溝１４１に入り込んだ固定状態となる。
なお、外枠３０を外挿部２１に向けて移動させた後、外枠３０をさらに円周方向に時計回りに回転させることにより、第１の実施の形態のレンズアダプタ１０（図９参照）と同様に、外枠３０の保持突起が内枠２０の保持部に保持される。そのため、不用意に解除状態に戻ることが防止される。
【００５７】
ここで、弾性突部５１は、弾性を有する材料（本実施形態では、ゴム）によって形成されており、樹脂製の山部４２及び谷部４３とゴム製の弾性突部５１とが２色成形等によって一体成形されている。したがって、ストッパ４０は、固定溝１４１に出入りする弾性突部５１が適度な弾性を持っている。これにより、弾性突部５１が固定溝１４１にはめ込まれると、弾性突部５１が若干潰れるようになるので、レンズアダプタ５０がしっかり固定されるとともに、取り付けたときのガタが完全に防止される。
【００５８】
また、レンズダプタ５０を取り付ける際のストッパ４０とレンズリング１４０との擦れによる粉吹きを防止でき、耐久性も向上する。さらにまた、レンズアダプタ５０の着脱の際の接触ノイズを低減させることができ、使用者の利便性が向上する。
なお、幅が広く、深い固定溝であれば、弾性突部のはめ込み領域を増やすことができるので、より確実な固定が可能となる。
【００５９】
＜３．第３の実施の形態＞
［レンズアダプタの構成例］
図１２は、本発明のレンズアダプタの一実施形態（第３の実施の形態）としての、レンズアダプタ６０の解除状態を示す斜視図である。
また、図１３は、本発明のレンズアダプタの一実施形態（第３の実施の形態）としての、レンズアダプタ６０の固定状態を示す斜視図である。
図１２及び図１３に示すように、第３の実施の形態のレンズアダプタ６０は、第１の実施の形態のレンズアダプタ１０（図７及び図９参照）と同様に、内枠２０、外枠３０、及びストッパ４０を有している。そして、ストッパ４０は、内枠２０の支持軸に揺動自在に支持されている。
【００６０】
ここで、内枠２０は、ガイド溝６１を有している。このガイド溝６１は、装着部２２の円周を３等分する位置に３つ設けられており、内枠２０に外挿された外枠３０をガイドする。
具体的には、各ガイド溝６１は、装着部２２側の解除位置６１ａから外挿部２１に向かい、固定位置６１ｂに到達するまでの一直線状となっている。そして、各ガイド溝６１には、外枠３０の内周面に形成されたガイド突起６２がそれぞれはめ込まれるようになっている。そのため、外枠３０は、各ガイド溝６１にそって、ズームレンズユニット１３０（図４参照）の光軸方向に移動可能となる。
【００６１】
また、内枠２０は、各ガイド溝６１にそって移動させた外枠３０を固定位置６１ｂで保持するための保持部６３を有している。この保持部６３は、外枠３０のガイド突起６２が固定位置６１ｂに到達したときに、外枠３０に形成された保持突起６４が適度なクリック感を持ってはめ込まれるように設けられている。そのため、外枠３０は、ガイド突起６２が固定位置６１ｂに移動した状態で、保持突起６４が保持部６３によって適度な力で保持される。
【００６２】
さらにまた、外枠３０は、内周面に揺動ガイド３３ａ及び揺動ガイド３３ｂを有している。これらの揺動ガイド３３ａ及び揺動ガイド３３ｂは、ストッパ４０との位置関係に応じて、突部４１がレンズリング１４０（図４参照）の固定溝１４１（図４参照）に出入りするようにストッパ４０を揺動させる。
具体的には、図１２に示すように、外枠３０を内枠２０の装着部２２側に位置させ、ガイド突起６２がガイド溝６１の解除位置６１ａにあれば、揺動ガイド３３ａがストッパ４０の山部４２を押し下げて突部４１を開く方向に揺動させる。そのため、突部４１は、外挿部２１に挿入されたレンズリング１４０の固定溝１４１から抜け出た状態となる。その結果、レンズアダプタ１０の外挿部２１に対し、レンズリング１４０を自由に出し入れできる解除状態となる。
【００６３】
一方、図１３に示すように、外枠３０を内枠２０の外挿部２１側に移動させ、ガイド突起６２がガイド溝６１の固定位置６１ｂにくるようにすれば、揺動ガイド３３ｂがストッパ４０の突部４１を押し下げて突部４１を閉じる方向に揺動させる。そのため、突部４１は、外挿部２１に挿入されたレンズリング１４０（図４参照）の固定溝１４１（図４参照）に入り込んだ状態となる。その結果、レンズアダプタ１０の外挿部２１に対し、レンズリング１４０が固定された固定状態となる。
また、外枠３０の保持突起６４が保持部６３によって適度な力で保持される。したがって、外枠３０が自然に動いてしまい、固定状態が不用意に解除されることが防止される。
【００６４】
このように、第３の実施の形態のレンズアダプタ６０は、外枠３０の移動操作のみのワンタッチ・ワンアクションで、簡単かつ確実にレンズリング１４０（図４参照）に固定することができる。そのため、第１の実施の形態のレンズアダプタ１０（図７及び図９参照）よりもさらに利便性が向上する。
なお、第３の実施の形態のレンズアダプタ６０では、外枠３０が直線的に移動するだけなので、固定状態の不用意な解除を避けるため、保持部６３による保持突起６４の保持力を強めに設定しておくことが好ましい。この保持力の調整は、例えば、保持部６３の凹みを深くし、保持突起６４をその凹みに合わせて高くすればよい。
【００６５】
＜４．第４の実施の形態＞
［レンズアダプタの構成例］
図１４は、本発明のレンズアダプタの一実施形態（第４の実施の形態）としての、レンズアダプタ７０の解除状態を示す断面図である。
また、図１５は、本発明のレンズアダプタの一実施形態（第４の実施の形態）としての、レンズアダプタ７０の固定状態を示す断面図である。
図１４及び図１５に示すように、第４の実施の形態のレンズアダプタ７０は、第１の実施の形態のレンズアダプタ１０（図８及び図１０参照）と同様に、内枠２０、外枠３０、及びストッパ４０を有している。
【００６６】
ここで、内枠２０は、レンズリング１４０の外周面に外挿可能な外挿部２１と、コンバージョンレンズ等の光学部品を装着可能な装着部２２と、ストッパ４０を揺動自在に支持する支持軸２３とを有している。そして、突部４１が形成されたストッパ４０は、支持軸２３を中心としてシーソーのような動きで回動でき、突部４１がレンズリング１４０の固定溝１４１に出入りする。
なお、支持軸２３及びストッパ４０は、外挿部２１の円周を３等分する位置に３つ設けられているが、４つ以上であってもよい。
【００６７】
また、内枠２０は、ストッパ４０の一端部を押し下げるように付勢する板バネ７１を有している。そのため、ストッパ４０は、支持軸２３を中心として板バネ７１側が押し下げられるように反時計回りに回動し、板バネ７１と反対側の突部４１が外に向けて常に開くように付勢された状態となっている。
さらにまた、内枠２０は、ガイド溝７２を有している。このガイド溝７２は、内枠２０の円周方向に所定の長さで形成されており、内枠２０に外挿された外枠３０のガイド突起７３をガイドする。したがって、外枠３０は、ガイド溝７２にそって円周方向に所定の範囲内で回転可能となっている。
【００６８】
さらに、外枠３０は、揺動ガイド７４を有している。この揺動ガイド７４は、一端側が低く他端側が高くなるような傾斜面に形成されている。具体的には、図１４に示すようなほとんど高さのない形状から、外枠３０を円周方向に時計回りに回転させることにより、図１５に示すような高さのある形状になるまで徐々に変化する。そして最後は、一定の高さになる。さらにまた、外枠３０の下面には、三脚の雲台１６０（図１０参照）の取付けに配慮してＤカット処理を施した雲台載置部３５が形成されている。
なお、一端側が低く他端側が高くなるような揺動ガイド７４は、第１の実施の形態のレンズアダプタ１０（図８及び図１０参照）等に適用することもできる。
【００６９】
このような第４の実施の形態のレンズアダプタ７０は、ストッパ４０の突部４１がレンズリング１４０の固定溝１４１から抜け出た解除状態（図１４参照）から、突部４１が固定溝１４１に入り込んだ固定状態（図１５参照）に、簡単に移行させることができる。
具体的には、最初に、図１４に示す解除状態において、内枠２０の外挿部２１をレンズリング１４０に外挿する。
【００７０】
次に、外枠３０を円周方向に時計回りに回転させるように操作する。これにより、外枠３０のガイド突起７３が内枠２０のガイド溝７２にそって時計回りに回転する。
また、外枠３０の揺動ガイド７４が徐々に高くなり、突部４１の上面を押し下げる。その結果、ストッパ４０は、板バネ７１の付勢に反して、支持軸２３を中心として時計回りに回動するようになり、図１５に示すように、突部４１がレンズリング１４０の固定溝１４１にはまり込む。
【００７１】
したがって、第４の実施の形態のレンズアダプタ７０は、外枠３０を操作し、円周方向に時計回りに回転させることにより、突部４１が固定溝１４１に入り込んだ固定状態となる。そのため、ワンタッチ・ワンアクション（外枠３０の回転操作のみ）で簡単かつ確実に固定することができるので、第１の実施の形態のレンズアダプタ１０（図８及び図１０参照）よりもさらに利便性が向上する。
【００７２】
また、揺動ガイド７４は、時計回りの回転方向に徐々に高くなるように形成されているので、図１５に示す固定状態では、突部４１がより強く押し付けられている。そのため、固定されたレンズアダプタ７０のガタつきが完全に防止される。しかも、固定時の応力に十分耐えられる取付け強度を維持しながら、固定溝１４１の深さを最小限にできるので、デジタルスチルカメラ１００（図４参照）の小型化にも貢献できる。
なお、図１５に示す固定状態では、第１の実施の形態のレンズアダプタ１０（図９参照）と同様に、外枠３０の保持突起が内枠２０の保持部に保持される。そのため、不用意に解除状態に戻ることが防止される。
【００７３】
＜５．第５の実施の形態＞
［コンバージョンレンズの構成例］
図１６は、本発明のコンバージョンレンズの一実施形態（第５の実施の形態）としての、テレコンバージョンレンズ８０の固定状態を示す断面図である。
図１６に示すように、第５の実施の形態のテレコンバージョンレンズ８０は、第１の実施の形態のレンズアダプタ１０（図１０参照）と同様に、内枠２０、外枠３０、及びストッパ４０を有している。
【００７４】
ここで、内枠２０は、レンズリング１４０の外周面に外挿可能な外挿部２１と、ストッパ４０を揺動自在に支持する支持軸２３とを有している。そして、突部４１、山部４２、及び谷部４３が形成されたストッパ４０は、支持軸２３を中心としてシーソーのような動きで回動でき、突部４１がレンズリング１４０の固定溝１４１に出入りする。
なお、支持軸２３及びストッパ４０は、外挿部２１の円周を３等分する位置に３つ設けられているが、４つ以上であってもよい。
【００７５】
また、内枠２０は、ガイド溝２４を有している。このガイド溝２４は、内枠２０に外挿された外枠３０のガイド突起３１をガイドする。そのため、外枠３０は、ガイド溝２４にそって光軸方向に移動可能となっている。
なお、ガイド溝２４は、第１の実施の形態のレンズアダプタ１０（図９参照）と同様の略Ｌ字形となっている。したがって、外枠３０を外挿部２１に向けて移動させた後、外枠３０をさらに円周方向に時計回りに回転させることができる。
【００７６】
さらにまた、内枠２０には、第１レンズ８１、第２レンズ８２、及び第３レンズ８３（本発明における補助レンズに相当）が光軸に沿って配列されている。そのため、テレコンバージョンレンズ８０をレンズリング１４０に装着することにより、高い倍率での撮影ができるようになる。
なお、内枠２０に配列するレンズにより、ワイドコンバージョンレンズやマクロコンバージョンレンズとすることもできる。
【００７７】
一方、外枠３０は、揺動ガイド３３ａ及び揺動ガイド３３ｂを有している。この揺動ガイド３３ａ及び揺動ガイド３３ｂは、ストッパ４０との位置関係に応じて、突部４１がレンズリング１４０の固定溝１４１に出入りするようにストッパ４０を揺動させる。また、外枠３０の下面には、三脚の雲台１６０の取付けに配慮してＤカット処理を施した雲台載置部３５が形成されている。
【００７８】
このような第５の実施の形態のテレコンバージョンレンズ８０は、ストッパ４０の突部４１がレンズリング１４０の固定溝１４１から抜け出た解除状態から、突部４１が固定溝１４１に入り込んだ固定状態（図１６参照）に、簡単に移行させることができる。
具体的には、最初に、解除状態において、内枠２０の外挿部２１をレンズリング１４０に外挿する。
【００７９】
次に、外挿部２１に向かう光軸方向に外枠３０を移動させるように操作する。これにより、外枠３０のガイド突起３１が内枠２０のガイド溝２４にそって真っ直ぐに移動する。
また、外枠３０の揺動ガイド３３ａがストッパ４０の山部４２から離れるとともに、外枠３０の揺動ガイド３３ｂがストッパ４０の突部４１の上面に当接するようになる。その結果、ストッパ４０が支持軸２３を中心として時計回りに回動し、突部４１がレンズリング１４０の固定溝１４１にはまり込む。
【００８０】
このように、第５の実施の形態のテレコンバージョンレンズ８０は、外枠３０を操作し、内枠２０の外挿部２１に向けて移動させることにより、突部４１が固定溝１４１に入り込んだ固定状態となる。また、外枠３０を外挿部２１に向けて移動させた後、外枠３０をさらに円周方向に時計回りに回転させることにより、第１の実施の形態のレンズアダプタ１０（図９参照）と同様に、外枠３０の保持突起が内枠２０の保持部に保持される。
【００８１】
したがって、第５の実施の形態のテレコンバージョンレンズ８０は、ワンタッチ・ツーアクション（外枠３０の移動及び回転操作）で簡単かつ確実に、レンズリング１４０に固定することができる。しかも、不用意に解除状態に戻ることが防止される。そして、高い倍率での撮影が可能となる。
【００８２】
また、本発明は、上記の実施形態に限定されることなく、以下のような種々の変形等が可能である。
（１）実施形態では、レンズアダプタ１０，５０〜７０をデジタルスチルカメラ１００に装着するようにしている。また、テレコンバージョンレンズ８０をデジタルスチルカメラに装着するようにしている。しかし、レンズアダプタ１０，５０〜７０及びテレコンバージョンレンズ８０は、デジタルビデオカメラやカメラ付携帯電話等の各種の撮像装置に装着できる。
【００８３】
（２）実施形態のレンズアダプタ１０，５０〜７０には、テレコンバージョンレンズ１５０を装着している。しかし、ワイドコンバージョンレンズ、マクロコンバージョンレンズ、フィルタ等を装着することもできる。また、本発明のコンバージョンレンズは、テレコンバージョンレンズ８０だけでなく、ワイドコンバージョンレンズやマクロコンバージョンレンズであってもよい。
【００８４】
（３）実施形態のレンズアダプタ１０，５０〜７０及びテレコンバージョンレンズ８０は、固定部が三角形をなすように３ヶ所にストッパ４０を配置している。しかし、三脚用の雲台１６０に配慮する必要がない場合等は、ストッパ４０を４ヶ所以上に増設して大きな応力にも耐えられるようにし、より確実に固定できるようにしてもよい。
【符号の説明】
【００８５】
１０  レンズアダプタ
２０  内枠
２１  外挿部
２２  装着部
２３  支持軸
２４  ガイド溝
２５  保持部
３０  外枠（操作部）
３１  ガイド突起
３３，３３ａ，３３ｂ  揺動ガイド
３５  雲台載置部
４０  ストッパ（固定片）
４１  突部
４２  山部
４３  谷部
５０  レンズアダプタ
５１  弾性突部（突部）
６０  レンズアダプタ
６３  保持部
７０  レンズアダプタ
７４  揺動ガイド
８０  テレコンバージョンレンズ（コンバージョンレンズ）
８１  第１レンズ（補助レンズ）
８２  第２レンズ（補助レンズ）
８３  第３レンズ（補助レンズ）
１００  デジタルスチルカメラ（撮像装置）
１３０  ズームレンズユニット
１３１  前玉レンズ（撮像レンズ）
１４０  レンズリング
１４１  固定溝（溝）
【図１】
2010186085.tif 000003
【図２】
2010186085.tif 000004
【図３】
2010186085.tif 000005
【図４】
2010186085.tif 000006
【図５】
2010186085.tif 000007
【図６】
2010186085.tif 000008
【図７】
2010186085.tif 000009
【図８】
2010186085.tif 000010
【図９】
2010186085.tif 000011
【図１０】
2010186085.tif 000012
【図１１】
2010186085.tif 000013
【図１２】
2010186085.tif 000014
【図１３】
2010186085.tif 000015
【図１４】
2010186085.tif 000016
【図１５】
2010186085.tif 000017
【図１６】
2010186085.tif 000018